(57)【要約】【課題】  カメラユニットを着脱可能な端末装置と該カメラユニットにおいて、撮影した画像が、意に反して漏洩したり拡散したりすることを防止することができる端末装置用カメラユニットシステムを提供する。【解決手段】  カメラユニット４は、撮像手段２６と、撮像手段により取得される画像データを端末装置２側に出力する画像処理手段３０ａと、所定の通信先を特定するアドレス情報を記憶するカメラ側記憶手段２８とを備え、端末装置は、通信手段４２と、画像処理手段が出力する画像データを取得する画像データ取得手段３８と、カメラ側記憶手段からアドレス情報を取得する情報取得手段３２とを備え、端末装置は、通信手段により情報取得手段が取得したアドレス情報が示す通信先に、画像データ取得手段が取得した画像データを送信処理するようにした。【選択図】      図７
2006067531.tif 000002
【特許請求の範囲】
【請求項１】
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記アドレス情報を取得する情報取得手段とを備え、
前記端末装置は、前記通信手段により前記情報取得手段が取得したアドレス情報により特定される通信先に、前記画像データ取得手段が取得した画像データを送信処理することを特徴とする端末装置用カメラユニットシステム。
【請求項２】
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記アドレス情報を取得する情報取得手段と、
前記アドレス情報を記憶する端末側記憶手段とを備え、
前記端末装置は、前記端末側記憶手段に記憶されているアドレス情報と前記情報取得手段が取得したアドレス情報とが相違した場合、前記通信手段により前記情報取得手段が取得したアドレス情報により特定される通信先を通信先とすることを特徴とする端末装置用カメラユニットシステム。
【請求項３】
前記端末装置は、前記カメラユニットの装着を検知する検知手段を更に備え、
前記端末装置は、前記検知手段により前記カメラユニットの装着を検知した場合、この端末装置の電源がオンされた場合、又は画像データを送信するための処理が開始された場合のいずれか１以上のときに、前記端末側記憶手段に記憶されているアドレス情報と前記情報取得手段が取得したアドレス情報との相違を判断する請求項２に記載の端末装置用カメラユニットシステム。
【請求項４】
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
前記カメラユニットを識別する識別情報を記憶するカメラ側記憶手段とを備え、
前記端末装置は、
通信手段と、
前記画像処理手段が出力する前記画像データを取得する画像データ取得手段と、
前記カメラ側記憶手段から前記識別情報を取得する情報取得手段と、
前記識別情報を記憶する端末側記憶手段とを備え、
前記端末装置は、前記端末側記憶手段に記憶されている識別情報と前記情報取得手段が取得した識別情報とが相違した場合、前記通信手段により所定の通信先を通信先とすることを特徴とする端末装置用カメラユニットシステム。
【請求項５】
前記端末装置は、前記カメラユニットの装着を検知する検知手段を更に備え、
前記端末装置は、前記検知手段により前記カメラユニットの装着を検知した場合、この端末装置の電源がオンされた場合、又は画像データを送信するための処理が開始された場合のいずれか１以上のときに、前記端末側記憶手段に記憶されている識別情報と前記情報取得手段が取得した識別情報との相違を判断する請求項４に記載の端末装置用カメラユニットシステム。
【請求項６】
前記端末装置は、前記カメラユニット側に記憶されているアドレス情報を取得し、該アドレス情報により特定される通信先に対して、前記画像データ取得手段が取得した画像データを送信処理することを特徴とする請求項４又は５に記載の端末装置用カメラユニットシステム。
【請求項７】
撮像手段を有し、所定の端末装置に着脱自在で交換可能になっているカメラユニットであって、
所定の通信先を特定するアドレス情報、及び／又はカメラユニットを識別するための識別情報を記憶したカメラ側記憶手段と、
前記撮像手段により取得される画像データを前記端末装置側に出力する画像処理手段と、
前記アドレス情報及び／又は識別情報を前記カメラ側記憶手段から読み出して出力する情報出力手段と
を備えていることを特徴とするカメラユニット。
【請求項８】
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持するアドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記通信手段により前記情報取得手段が取得したアドレス情報により特定される通信先を通信先とすることを特徴とする端末装置。
【請求項９】
前記カメラユニットの装着を検知する検知手段を更に備え、
前記検知手段により前記カメラユニットの装着を検知した場合、電源がオンされた場合、又は画像データを送信するための処理が開始された場合のいずれか１以上のときに、前記端末側記憶手段に記憶されているアドレス情報と前記情報取得手段が取得したアドレス情報との相違を判断する請求項８に記載の端末装置。
【請求項１０】
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持する識別情報を取得する情報取得手段と、
前記識別情報を記憶する端末側記憶手段とを備え、
前記端末側記憶手段に記憶されている識別情報と前記情報取得手段が取得した識別情報とが相違した場合、前記通信手段により所定の通信先を通信先とすることを特徴とする端末装置。
【請求項１１】
前記カメラユニットの装着を検知する検知手段を更に備え、
前記検知手段により前記カメラユニットの装着を検知した場合、電源がオンされた場合、又は画像データを送信するための処理が開始された場合のいずれか１以上のときに、前記端末側記憶手段に記憶されている識別情報と前記情報取得手段が取得した識別情報との相違を判断する請求項１０に記載の端末装置。
【請求項１２】
前記カメラユニットが保持するアドレス情報を取得し、該アドレス情報により特定される通信先に対して、前記画像データ取得手段が取得した画像データを送信処理することを特徴とする請求項１０又は１１に記載の端末装置。
【請求項１３】
電話機能を前記通信手段に更に備え、
前記通信手段が前記電話機能実行中に前記相違を判断した場合、該実行が終了した後、前記通信手段により前記通信先に対して、前記画像データ取得手段が取得した画像データを送信処理する請求項８ないし１２のいずれかに記載の端末装置。
【請求項１４】
任意のアドレス情報を入力することができる操作手段を更に備え、
前記操作手段から入力されたアドレス情報が、前記情報取得手段が取得したアドレス情報と相違した場合、前記画像データ取得手段が取得した画像データの送信処理を行なわないようにした請求項８又は９に記載の端末装置。
【請求項１５】
任意のアドレス情報を入力することができる操作手段を更に備え、
前記操作手段から入力されたアドレス情報が、取得したアドレス情報と相違した場合、前記画像データ取得手段が取得した画像データの送信処理を行なわないようにした請求項１２に記載の端末装置。
【発明の詳細な説明】
【技術分野】
【０００１】
本発明は、撮像手段を有するカメラユニットと、このカメラユニットを装着することができる端末装置を備え、カメラユニットが交換可能になっているような端末装置用カメラユニットシステム、並びに、このような端末装置用カメラユニットシステムに用いられる端末装置及びカメラユニットに関するものである。
【背景技術】
【０００２】
従来において、遠隔地にある工場や建物等の現場を監視するために設置された複数の所定のカメラと、このような複数の所定のカメラから直接映像信号を受信するカメラユニットと、このカメラユニットにインターネットを介して接続される監視用パーソナルコンピュータ及び監視支援装置を備えるインテリジェント遠隔監視システムがあった（例えば、特許文献１参照）。
【０００３】
このインテリジェント遠隔監視システムは、カメラユニットが、監視用パーソナルコンピュータから受信した操作信号に基づいて、複数の所定のカメラに一定の動作を行なわせたり、これらのカメラが撮影した映像のいずれかに対して所定の処理を施した後に、この映像の信号を監視用パーソナルコンピュータ及び監視支援装置に送信するようになっていた。
【０００４】
したがって、このインテリジェント遠隔監視システムは、監視用パーソナルコンピュータを、管制室とは別の警備室や宿泊所に設置することにより、このような警備室や宿泊所から遠隔地にある工場や建物等の現場を監視することができるようになっていた。また、監視支援装置は、受信した映像を順次保存しており、最新の映像とその直前の映像に基づいて状況変化があったかどうかを検出するようになっていた。
【０００５】
また、従来において、撮像カメラ、メモリ及び通信モデム等を有するカメラユニットと、振動検出装置や扉開閉センサ等の異常検出手段とを備える防犯用カメラ装置があった。この防犯用カメラ装置は、カメラユニットの撮像カメラが自動販売機等の監視対象物の周囲を撮影するように設置されると共に、異常検出手段が監視対象物の異常を検出するようになっていて、異常検出時の前後の撮像データ等を、所定の端末装置に送信するようになっていた。
【０００６】
また、従来において、所定の携帯電話機に着脱可能であって、通信ネットワークの特定サイトのアドレスが記憶された特定サイト記憶部と、特定サイト接続ボタンと、特定サイトにアクセスするための所定のプログラムが記憶されたログインプログラム記憶部とを備えるようなアタッチメントがあった。このアタッチメントは、所定の携帯電話機に装着された状態で特定サイト接続ボタンが押されると、特定のサイトに簡易に接続することができるようになっていた。
【０００７】
また、従来において、通信ネットワーク上のサービス・プロバイダに記憶される画像に対して、例えば画像アイコン等のコンテンツ識別子を関連付けるようにしておき、このコンテンツ識別子を用いて行なわれる、サービス・プロバイダに記憶されている画像へのアクセスが監視等されるようになっている画像管理の方法及びシステムがあった。
【特許文献１】特開平１１−２６６４８７号公報
【発明の開示】
【発明が解決しようとする課題】
【０００８】
本発明は、カメラユニットを着脱可能な端末装置と該カメラユニットにおいて、撮影した画像が、意に反して漏洩したり拡散したりすることを防止することができる端末装置用カメラユニットシステム、端末装置、及び、カメラユニットを提供することを課題とするものである。
【課題を解決するための手段】
【０００９】
上記課題を解決するために本発明は、
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記アドレス情報を取得する情報取得手段とを備え、
前記端末装置は、前記通信手段により前記情報取得手段が取得したアドレス情報により特定される通信先に、前記画像データ取得手段が取得した画像データを送信処理することを特徴とするものである。
【００１０】
また、上記課題を解決するために本発明は、
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記アドレス情報を取得する情報取得手段と、
前記アドレス情報を記憶する端末側記憶手段とを備え、
前記端末装置は、前記端末側記憶手段に記憶されているアドレス情報と前記情報取得手段が取得したアドレス情報とが相違した場合、前記通信手段により前記情報取得手段が取得したアドレス情報により特定される通信先を通信先とすることを特徴とするものである。
【００１１】
また、本発明による端末装置用カメラユニットシステムは、
前記端末装置は、前記カメラユニットの装着を検知する検知手段を更に備え、
前記端末装置は、前記検知手段により前記カメラユニットの装着を検知した場合、この端末装置の電源がオンされた場合、又は画像データを送信するための処理が開始された場合のいずれか１以上のときに、前記端末側記憶手段に記憶されているアドレス情報と前記情報取得手段が取得したアドレス情報との相違を判断するようになっていてもよい。
【００１２】
また、上記課題を解決するために本発明は、
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
前記カメラユニットを識別する識別情報を記憶するカメラ側記憶手段とを備え、
前記端末装置は、
通信手段と、
前記画像処理手段が出力する前記画像データを取得する画像データ取得手段と、
前記カメラ側記憶手段から前記識別情報を取得する情報取得手段と、
前記識別情報を記憶する端末側記憶手段とを備え、
前記端末装置は、前記端末側記憶手段に記憶されている識別情報と前記情報取得手段が取得した識別情報とが相違した場合、前記通信手段により所定の通信先を通信先とすることを特徴とするものである。
【００１３】
また、本発明による端末装置用カメラユニットシステムは、
前記端末装置は、前記カメラユニットの装着を検知する検知手段を更に備え、
前記端末装置は、前記検知手段により前記カメラユニットの装着を検知した場合、この端末装置の電源がオンされた場合、又は画像データを送信するための処理が開始された場合のいずれか１以上のときに、前記端末側記憶手段に記憶されている識別情報と前記情報取得手段が取得した識別情報との相違を判断するようになっていてもよい。
【００１４】
また、本発明による端末装置用カメラユニットシステムは、
前記端末装置は、前記カメラユニット側に記憶されているアドレス情報を取得し、該アドレス情報により特定される通信先に対して、前記画像データ取得手段が取得した画像データを送信処理するようになっていてもよい。
【００１５】
また、上記課題を解決するために本発明は、
撮像手段を有し、所定の端末装置に着脱自在で交換可能になっているカメラユニットであって、
所定の通信先を特定するアドレス情報、及び／又はカメラユニットを識別するための識別情報を記憶したカメラ側記憶手段と、
前記撮像手段により取得される画像データを前記端末装置側に出力する画像処理手段と、
前記アドレス情報及び／又は識別情報を前記カメラ側記憶手段から読み出して出力する情報出力手段と
を備えていることを特徴とするものである。
【００１６】
また、上記課題を解決するために本発明は、
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持するアドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記通信手段により前記情報取得手段が取得したアドレス情報により特定される通信先を通信先とするすることを特徴とするものである。
【００１７】
また、本発明による端末装置は、
前記カメラユニットの装着を検知する検知手段を更に備え、
前記検知手段により前記カメラユニットの装着を検知した場合、電源がオンされた場合、又は画像データを送信するための処理が開始された場合のいずれか１以上のときに、前記端末側記憶手段に記憶されているアドレス情報と前記情報取得手段が取得したアドレス情報との相違を判断するようになっていてもよい。
【００１８】
また、上記課題を解決するために本発明は、
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持する識別情報を取得する情報取得手段と、
前記識別情報を記憶する端末側記憶手段とを備え、
前記端末側記憶手段に記憶されている識別情報と前記情報取得手段が取得した識別情報とが相違した場合、前記通信手段により所定の通信先を通信先とすることを特徴とするものである。
【００１９】
また、本発明による端末装置は、
前記カメラユニットの装着を検知する検知手段を更に備え、
前記検知手段により前記カメラユニットの装着を検知した場合、電源がオンされた場合、又は画像データを送信するための処理が開始された場合のいずれか１以上のときに、前記端末側記憶手段に記憶されている識別情報と前記情報取得手段が取得した識別情報との相違を判断するようになっていてもよい。
【００２０】
また、本発明による端末装置は、前記カメラユニットが保持するアドレス情報を取得し、該アドレス情報により特定される通信先に対して、前記画像データ取得手段が取得した画像データを送信処理するようになっていてもよい。
【００２１】
また、本発明による端末装置は、
電話機能を前記通信手段に更に備え、
前記通信手段が前記電話機能実行中に前記相違を判断した場合、該実行が終了した後、前記通信手段により前記通信先に対して、前記画像データ取得手段が取得した画像データを送信処理するようになっていてもよい。
【００２２】
また、本発明による端末装置は、
任意のアドレス情報を入力することができる操作手段を更に備え、
前記操作手段から入力されたアドレス情報が、前記情報取得手段が取得したアドレス情報と相違した場合、前記画像データ取得手段が取得した画像データの送信処理を行なわないようになっていてもよい。
【００２３】
また、本発明による端末装置は、
任意のアドレス情報を入力することができる操作手段を更に備え、
前記操作手段から入力されたアドレス情報が、取得したアドレス情報と相違した場合、前記画像データ取得手段が取得した画像データの送信処理を行なわないようになっていてもよい。
【発明の効果】
【００２４】
このような本発明の端末装置用カメラユニットシステム、並びに、このような端末装置用カメラユニットシステムに用いられる端末装置及びカメラユニットによれば、撮影した画像が、意に反して漏洩したり拡散したりすることを防止することができる。
【発明を実施するための最良の形態】
【００２５】
以下、本発明に係る端末装置用カメラユニットシステム、並びに、このような端末装置用カメラユニットシステムに用いられる端末装置及びカメラユニットの実施の形態について、図面に基づいて具体的に説明する。
【００２６】
図１ないし図６は、本発明の第１の実施の形態に係る、携帯電話機用カメラユニットシステム（端末装置用カメラユニットシステムに相当）、並びに、このような携帯電話機用カメラユニットシステムに用いられる携帯電話機２（端末装置に相当）、及びカメラユニット４について説明するために参照する図である。
【００２７】
図１に示すように、本実施の形態に係る携帯電話機２は、テンキー等により構成される操作手段６及びマイクロホン７を有する第１筐体８と、ＬＣＤ（液晶ディスプレイ）等の表示手段１０及びスピーカー１１を有する第２筐体１２が、互いに折畳み自在に連結されている。
【００２８】
操作手段６は、第１筐体８の操作面８ａに配置されている。また、第１筐体８におけるその長さ方向に平行であって、操作面８ａと互いに隣り合うような側面８ｂには、カメラユニット４に撮影動作を行なわせるためのレリーズスイッチ１４が設けられている。
【００２９】
図示しないが、第１筐体８と第２筐体１２は、互いに折畳んだ状態のときに、その操作面８ａと表示手段１０の表示面が互いに向き合うように重ねられて、操作面８ａ及び表示手段１０の表示面のそれぞれが、外部に露出しないようになっている。
【００３０】
また、図１に示すように、携帯電話機２は、カメラユニット４が着脱自在であって、このカメラユニット４を他の種類のものに交換することもできるようになっている。
【００３１】
このカメラユニット４は、不図示のＣＣＤ等の撮像素子と撮像レンズ４ａを有しており、撮像素子はカメラユニット４の内部に配置されている。そして、撮像レンズ４ａは撮像素子の撮像軸線上であって、この撮像軸線方向におけるこのカメラユニット４が有する長さの一方の端面に配置され、外部に露出するようになっている。また、このカメラユニット４は、その撮像軸線方向における長さ中間部の外周に雄ネジ部４ｂ（係合部に相当）が形成されている。
【００３２】
また、第１筐体８には、カメラユニット４の雄ネジ部４ｂに対応する雌ネジ部１６（装着部に相当）が、操作面８ａに開口するように設けられている。カメラユニット４は、その撮像レンズ４ａ側の端部とは反対側の端部から、この雌ネジ部１６に挿入して、雄ネジ部４ｂと雌ネジ部１６がネジ締結されることにより、第１筐体８に装着されるようになっている。
【００３３】
カメラユニット４は、第１筐体８に装着されると、その撮像軸線方向における撮像レンズ４ａ側の端部が、操作面８ａから突出した状態で固定されるので（図２参照）、図１に示すように、第２筐体１２には、折畳んだときに第１筐体８の操作面８ａと対向する面における雌ネジ部１６に対応する位置に、所定の形状の凹部１８が形成されている。この凹部１８の内部空間は、第１筐体８と第２筐体１２を互いに折畳んだときに、カメラユニット４の操作面８ａから突出する撮像レンズ４ａ側の端部を収納することができるように形成されている。
【００３４】
図２に示すように、カメラユニット４は、その撮像軸線方向における撮像レンズ４ａ側の端部と反対側の端部にコネクタ４ｃを有し、このコネクタ４ｃは、第１筐体８の内部の配線基板２０上に設けられたコネクタ２２と嵌合して、電気的に導通するようになっている。
【００３５】
図３に示すように、ユーザーが撮像機能を利用しないために、第１筐体８にカメラユニット４を装着しない場合には、このカメラユニット４に代えて、第１筐体８にカバーユニット２４を装着することができる。
【００３６】
このカバーユニット２４には、カメラユニット４の雄ネジ部４ｂと同一の雄ネジ部２４ｂ（係合部に相当）が形成されているので、カメラユニット４と同様に、第１筐体８の雌ネジ部１６にネジ締結することができるようになっている。
【００３７】
次に、携帯電話機２及びカメラユニット４の回路構成について説明する。図４は、携帯電話機２にカメラユニット４が装着されている状態の回路構成を示す図である。
【００３８】
カメラユニット４は、撮像手段２６、カメラ側記憶手段２８、及びこれらを制御するカメラ側制御手段３０を備えている。撮像手段２６は図１に基づいて上記に説明した撮像レンズ４ａ及び不図示の撮像素子等により構成されている。
【００３９】
図４に示すカメラ側記憶手段２８は、不揮発性のメモリであって、所定の通信先を特定するためのアドレス情報を記憶するようになっている。カメラ側記憶手段２８には、例えば、このカメラユニット４の所持者であるユーザーが所望するアドレス情報を設定しておくことができる。
【００４０】
このようなアドレス情報には、ＵＲＬ（Ｕｎｉｆｏｒｍ  Ｒｅｓｏｕｒｃｅ  Ｌｏｃａｔｏｒ）のようなインターネット上のホームページの所在を指定するものの他に、特定の電話番号であったり、通信網に接続されている特定のサーバー等を指定するような通信網を介して接続可能な情報源の所在を特定するための他の表記法が含まれる。ＵＲＬ等は通信先を完全に表記等されていなくても、通信先を特定し得る程度に表記されているものであってもよい。
【００４１】
カメラ側制御手段３０は、後述する携帯電話機２の情報取得手段３２から、カメラ側記憶手段２８のアドレス情報の引渡しを要求する旨の信号を受信した場合に、カメラ側記憶手段２８からアドレス情報を読み出して、このアドレス情報を情報取得手段３２に出力するような第１の処理動作を行なうようになっている。
【００４２】
また、カメラ側制御手段３０は、後述する携帯電話機２の端末側制御手段３６から命令を受信し、この命令に基づいて撮像手段２６を制御する第２の処理動作を行なうようになっている。
【００４３】
また、カメラ側制御手段３０は、端末側制御手段３６の命令に基づいて、撮像手段２６から画素ごとのデータとして出力される色彩に関するＲＧＢｒａｗデータに対して、ＡＥ（Ａｕｔｏ  Ｅｘｐｏｓｕｒｅ）処理や、ＡＷＢ（Ａｕｔｏ  Ｗｈｉｔｅ  Ｂａｌａｎｃｅ）処理を施したものを、後述する携帯電話機２の画像データ取得手段３８に出力するような第３の処理動作を行なうようになっている。
【００４４】
ここで、ＡＥ処理とは、露出を最適化する処理をいい、ＡＷＢ処理とは、光源の影響等を受けることにより画像中の白色が他の色彩を帯びて表示されることを、赤色ゲインや青色ゲイン等の調整により防ぐ処理をいう。
【００４５】
次に、携帯電話機２は、既に説明した操作手段６、マイクロホン７、表示手段１０、スピーカー１１、及びレリーズスイッチ１４の他に、情報取得手段３２、端末側制御手段３６、画像データ取得手段３８、端末側記憶手段４０、通信手段４２、及び電源４４を備えている。
【００４６】
図２に示すように、携帯電話機２（第１筐体８）の雄ネジ部１６にカメラユニット４が装着されて、カメラユニット４のコネクタ４ｃが配線基板２０のコネクタ２２に嵌合し、図４に示す携帯電話機２の情報取得手段３２、端末側制御手段３６、画像データ取得手段３８のそれぞれは、カメラユニット４のカメラ側制御手段３０と回路接続される。また、電源４４は、携帯電話機２にカメラユニット４が装着されると、携帯電話機２内の回路以外にも、このカメラユニット４と導通して電流を供給するようになっている。
【００４７】
図４に示す携帯電話機２の情報取得手段３２は、端末側制御手段３６からの命令を受信すると、カメラ側制御手段３０に対して、カメラ側記憶手段２８のアドレス情報を引き渡すように要求する信号を出力して、カメラ側制御手段３０にカメラ側記憶手段２８のアドレス情報を出力させるようになっている。
【００４８】
すなわち、情報取得手段３２は、カメラ側制御手段３０を介してカメラ側記憶手段２８のアドレス情報を読み出す（取得する）ようになっている。そして、情報取得手段３２は、読み出したアドレス情報を通信手段４２に出力するようになっている。
【００４９】
端末側記憶手段４０は、図５に示すように、揮発性のＳＤＲＡＭ４６（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）と、不揮発性で記憶内容を書き換えることができるフラッシュメモリ４８を備えて構成されている。ＳＤＲＡＭ４６には、画像データ領域４６ｃが設けられており、フラッシュメモリ４８にはプログラム領域４８ｂ及び画像データ領域４８ｃが設けられている。
【００５０】
次に、図４に示す端末側制御手段３６は、操作手段６によりカメラモードを起動させる操作が行われた後においては、カメラユニット４のカメラ側制御手段３０に、このカメラ側制御手段３０の第２の処理動作を行なわせて、撮像手段２６を動作させるようになっている。
【００５１】
また、端末側制御手段３６は、カメラモードが起動されると、画像データ取得手段３８に命令し、撮像手段２６からカメラ側制御手段３０を介して出力される画像データを取得して、この画像データに対して後述するような所定の処理動作を行なわせるようになっている。
【００５２】
また、端末側制御手段３６は、カメラモードの動作中に、このカメラモードを終了する操作が行なわれると、情報取得手段３２に命令して、カメラユニット４におけるカメラ側記憶手段２８のアドレス情報を取得させるようになっている。
【００５３】
次に、画像データ取得手段３８は、端末側制御手段３６からの命令を受信すると、端末側記憶手段４０のプログラム領域４８ｂ（図５参照）に記憶されているプログラム等に基づいて画像データに対し、所定の処理を施すようになっている。
【００５４】
すなわち、画像データ取得手段３８は、図４に示すように、画像データの取り出しクロック周波数、ＪＰＥＧ圧縮レート、電子ズーム比、又は表示手段１０に表示する際の間引き率等の変更等を行なうようになっている。
【００５５】
そして、画像データ取得手段３８は、カメラユニット４から受信した画像データ、又はこの画像データに所定の処理を施したものを表示手段１０に表示させたり、または、端末側記憶手段４０に記憶させたりするようになっている。また、画像データを、図示しない外部記憶手段に記憶させることもできる。
【００５６】
ここで、画像データ取得手段３８は、画像データを端末側記憶手段４０に記憶させる場合に、カメラユニット４から受信した画像データを、図５に示すように、一旦ＳＤＲＡＭ４６の画像データ領域４６ｃに記憶させた後、この画像データ領域４６ｃの画像データに対してＪＰＥＧ圧縮の処理を施してから、これをフラッシュメモリ４８の画像データ領域４８ｃに記憶させるようになっている。
【００５７】
図４に示す通信手段４２は、図示しない最寄の基地局と無線の通信を行なうことにより、公衆回線網等の回線網に接続することができるようになっている。また、マイクロホン７及びスピーカー１１を用いて、通話の通信を行なうようにしてもよい。
【００５８】
また、通信手段４２は、端末側制御手段３６からの命令に基づいて、情報取得手段３２から受信したアドレス情報の通信先との通信を開始し、図５に示す記憶手段４０のフラッシュメモり４８における画像データ領域４８ｃの画像データを読み込んで、これを送信するようになっている。
【００５９】
また、通信手段４２は、図４に示すマイクロホン７及びスピーカー１１により、通話の通信を行なっているときに、情報取得手段３２が取得したアドレス情報の通信先に画像データを送信するように端末側制御手段３６に命令された場合には、通話の通信が終了した後に、アドレス情報の通信先との通信を開始して、端末側記憶手段４０の画像データを送信するようになっている。
【００６０】
次に、図６のフローチャートに基づき、携帯電話機２の操作手段６によりカメラモードを起動する操作が行なわれた後の端末側制御手段３６等の処理動作について説明する。
【００６１】
図４に示す操作手段６により、携帯電話機２が有する様々な機能の中からカメラモードを選択する操作が行われると、端末側制御手段３６は、カメラモードを起動する。カメラユニット４が携帯電話機２に装着されていない場合には、カメラモードを起動することができないため、図６に示すフローチャートの処理動作は行なわれない。
【００６２】
カメラモードに移行した後には、表示手段１０によるプレビューが開始され、ステップＳ１０２においてカメラモードを終了する操作が行なわれるまで（ステップＳ１０２のＹＥＳ）、カメラユニット４の撮像手段２６が映す画像データは、カメラ側制御手段３０及び画像データ取得手段３８による所定の画像処理が施されて、表示手段１０に表示されるようになっている。
【００６３】
端末側制御手段３６は、カメラモードを終了する操作（ステップＳ１０２のＹＥＳ）が行なわれない限り、レリーズスイッチ１４の操作に対応して、そのときの画像データを端末側記憶手段４０に記憶させるようになっている（ステップＳ１０１）。
【００６４】
カメラモードを終了する操作が行なわれると（ステップＳ１０２のＹＥＳ）、端末側制御手段３６は、図４に示すように、情報取得手段３２に命令して、カメラユニット４におけるカメラ側記憶手段２８のアドレス情報を取得させるようになっている（図６中、ステップＳ１０３）。
【００６５】
そして、端末側制御手段３６は、通信手段４２に、情報取得手段３２が取得したアドレス情報が示す通信先に対して、図５に示すフラッシュメモリ４８の画像データ領域４８ｃに記憶されている画像データを送信させるようになっている（ステップＳ１０４）。
【００６６】
このような本実施の形態に係る携帯電話機用カメラユニットシステム、並びに、このような携帯電話機用カメラユニットシステムに用いられる携帯電話機２及びカメラユニット４によれば、カメラユニット４で撮影した画像データは、必ずカメラ側記憶手段２８に記憶されているアドレス情報が示す通信先に送信されるため、撮影した画像が、意に反して漏洩したり拡散したりすることを防止することができる。
【００６７】
例えば、カメラユニット４の所持者であるユーザーが、他人が所持する携帯電話機２を借りて撮影をしたような場合でも、カメラユニット４の所持者であるユーザーは、自分が撮影した画像を送信する際に、確実に、カメラユニット４のカメラ側記憶手段２８に記憶されているアドレス情報の通信先に送信することができるため、撮影した画像が意に反して拡散することを防止することができる。
【００６８】
次に、図１ないし図３、及び図５ないし図７に基づいて、第２の実施の形態に係る、携帯電話機用カメラユニットシステム（端末装置用カメラユニットシステムに相当）、並びに、このような携帯電話機用カメラユニットシステムに用いられる携帯電話機５０（端末装置に相当）、及びカメラユニット５２について説明する。前記第１の実施の形態に係る携帯電話機２及びカメラユニット４と同様の部分には同じ符号を付して説明し、同様の構成や処理動作等についての重複する説明は省略するものとする。
【００６９】
前記第１の実施の形態では、図４に示すカメラ側制御手段３０が、カメラ側記憶手段２８のアドレス情報を情報取得手段３２に出力するような第１の処理動作と、端末側制御手段３６の命令に基づいて撮像手段２６を制御する第２の処理動作と、撮像手段２６から出力されるＲＧＢｒａｗデータに所定の処理を施した画像データを、画像データ取得手段３８に出力する第３の処理動作を行なうようになっていた。
【００７０】
これに対して、本実施の形態では、図７に示すように、前記第１の実施の形態におけるカメラ側制御手段３０に代えて、このカメラ側制御手段３０が行なっていた第１の処理動作のみを行なう情報出力手段３０ａと、第２の処理動作のみを行なう撮像制御手段３０ｂと、第３の処理動作のみを行なう画像処理手段３０ｃを備えている。
【００７１】
このような本実施の形態に係る携帯電話機用カメラユニットシステム、並びに、このような携帯電話機用カメラユニットシステムに用いられる携帯電話機５０及びカメラユニット５２によれば、前記第１の実施の形態と同様に、カメラユニット５２で撮影した画像データは、必ずカメラ側記憶手段２８に記憶されているアドレス情報が示す通信先に送信されるため、撮影した画像が、意に反して漏洩したり拡散したりすることを防止することができる。
【００７２】
例えば、前記第１の実施の形態と同様に、カメラユニット５２の所持者であるユーザーが、他人が所持する携帯電話機５０を借りて撮影をしたような場合でも、カメラユニット５２の所持者であるユーザーは、自分が撮影した画像を送信する際に、確実に、カメラユニット５２のカメラ側記憶手段２８に記憶されているアドレス情報の通信先に送信することができるため、撮影した画像が意に反して拡散することを防止することができる。
【００７３】
なお、本実施の形態では、撮像制御手段３０ｂが、前記第１の実施の形態におけるカメラ側制御手段３０の第２の処理動作を行なうようになっていたが、このような第２の処理動作を携帯電話機５０の端末側制御手段３６が行なうようにして、撮像制御手段３０ｂを設けないようにすることもできる。
【００７４】
また、後述する第３ないし第７の実施の形態においても、本実施の形態と同様に、カメラ側制御手段３０を、情報出力手段３０ａ、撮像制御手段３０ｂ及び画像処理手段３０ｃに置き換えることができ、また、撮像制御手段３０ｂが行なう第２の処理動作を、この撮像制御手段３０ｂに代えて端末側制御手段３６が行なうようにすることができる。
【００７５】
次に、図１ないし図３、及び図８ないし図１０に基づいて、本発明の第３の実施の形態に係る、携帯電話機用カメラユニットシステム（端末装置用カメラユニットシステムに相当）、並びに、このような携帯電話機用カメラユニットシステムに用いられる携帯電話機６０（端末装置に相当）、及びカメラユニット６２について説明する。前記第１の実施の形態に係る携帯電話機２及びカメラユニット４と同様の部分には同じ符号を付して説明し、同様の構成についての重複する説明は省略するものとする。
【００７６】
図８に示すように、本実施の形態に係る携帯電話機６０は、第１比較手段６４を備えるようになっている点で、前記第１の実施の形態に係る携帯電話機２と異なっている。
【００７７】
また、情報取得手段３２は、前記第１の実施の形態と異なり、端末側制御手段３６からの命令に基づいて、カメラ側制御手段３０を介してカメラ側記憶手段２８のアドレス情報を読み出した後には、このアドレス情報を、後述する端末側記憶手段４０のアドレス情報一時保存領域４６ａ（図９参照）に格納するようになっている。
【００７８】
また、図９に示すように、端末側記憶手段４０のＳＤＲＡＭ４６には、前記第１の実施の形態と同様の画像データ領域４６ｃの他に、アドレス情報一時保存領域４６ａが設けられており、フラッシュメモリ４８には、プログラム領域４８ｂ及び画像データ領域４８ｃの他に、アドレス情報継続保存領域４８ａが設けられている。
【００７９】
端末側記憶手段４０は、情報取得手段３２から受信したアドレス情報を、直ちにＳＤＲＡＭ４６のアドレス情報一時保存領域４６ａに記憶すると共に、このアドレス情報一時保存領域４６ａに記憶したアドレス情報と、フラッシュメモリ４８のアドレス情報継続保存領域４８ａに記憶されているアドレス情報のそれぞれを、図８に示すように、第１比較手段６４に出力するようになっている。
【００８０】
ここで、フラッシュメモリ４８のアドレス情報継続保存領域４８ａに記憶されているアドレス情報は、後述するような端末側制御手段３６の処理動作により記憶されていたものである。
【００８１】
第１比較手段６４は、ＳＤＲＡＭ４６のアドレス情報一時保存領域４６ａに記憶されたアドレス情報と、フラッシュメモリ４８のアドレス情報継続保存領域４８ａに記憶されていたアドレス情報のそれぞれを端末側記憶手段４０から受信すると、これらが相違するかどうかについて比較し、このように比較した結果を端末側制御手段３６に出力するようになっている。
【００８２】
また、通信手段４２は、前記第１の実施の形態と異なり、後述するような端末側制御手段３６からの命令を受信すると、この命令に基づき、図９に示すＳＤＲＡＭ４６のアドレス情報一時保存領域４６ａ、又はフラッシュメモリ４８のアドレス情報継続保存領域４８ａのいずれかに記憶されているアドレス情報を読み込み、このアドレス情報の通信先に対して、フラッシュメモリ４８の画像データ領域４８ｃ（図９参照）に記憶されている画像データを送信するようになっている。
【００８３】
次に、図８に示す端末側制御手段３６は、第１比較手段６４から、端末側記憶手段４０のＳＤＲＡＭ４６におけるアドレス情報一時保存領域４６ａに記憶されたアドレス情報と、フラッシュメモリ４８のアドレス情報継続保存領域４８ａに記憶されていたアドレス情報が相違するとの結果を受信すると、通信手段４２に命令して、アドレス情報一時保存領域４６ａのアドレス情報が示す通信先に対して、画像データ領域４８ｃの画像データを送信させるようになっている。
【００８４】
そして、端末側制御手段３６は、端末側記憶手段４０のフラッシュメモリ４８におけるアドレス情報継続保存領域４８ａに記憶されていたアドレス情報を、ＳＤＲＡＭ４６におけるアドレス情報一時保存領域４６ａに記憶されたアドレス情報と同一の内容に変更して記憶させるようになっている（図９参照）。
【００８５】
また、端末側制御手段３６は、第１比較手段６４から、端末側記憶手段４０のＳＤＲＡＭ４６におけるアドレス情報一時保存領域４６ａに記憶されたアドレス情報と、フラッシュメモリ４８のアドレス情報継続保存領域４８ａに記憶されていたアドレス情報が一致するとの結果を受信すると、通信手段４２に命令して、アドレス情報継続保存領域４８ａのアドレス情報が示す通信先に対して、画像データ領域４８ｃの画像データを送信させるようになっている。
【００８６】
次に、図１０のフローチャートに基づき、携帯電話機６０の操作手段６によりカメラモードを起動する操作が行なわれた後の端末側制御手段３６等の処理動作について説明する。
【００８７】
図１０中のフローチャートにおいて、このフローチャートの処理動作が開始された後のステップＳ２０２までの処理動作は、前記第１の実施の形態における図６のステップＳ１０２までの処理動作と同様に行なわれる。
【００８８】
カメラモードが終了すると（図１０中、ステップＳ２０２のＹＥＳ）、その後のステップＳ２０３から画像データを送信するための処理が開始される。ステップＳ２０３において、図８に示す端末側制御手段３６は、情報取得手段３２に命令し、カメラユニット４におけるカメラ側記憶手段２８のアドレス情報を読み出させ、これを図９に示す端末側記憶手段４０のＳＤＲＡＭ４６におけるアドレス情報一時保存領域４６ａに記憶させるようになっている。
【００８９】
そして、図８に示す第１比較手段６４が、端末側記憶手段４０のＳＤＲＡＭ４６におけるアドレス情報一時保存領域４６ａに記憶されたアドレス情報と、フラッシュメモリ４８のアドレス情報継続保存領域４８ａ（図９参照）に記憶されていたアドレス情報を比較するようになっている（図１０中、ステップＳ２０４）。
【００９０】
両者が相違している場合には（ステップＳ２０４のＹＥＳ）、端末側制御手段３６はステップＳ２０５において、図９に示す端末側記憶手段４０のフラッシュメモリ４８のアドレス情報継続保存領域４８ａに記憶されていたアドレス情報を、ＳＤＲＡＭ４６におけるアドレス情報一時保存領域４６ａに記憶されたアドレス情報と同一の内容に変更して記憶させるようになっている。
【００９１】
そして、図８に示す端末側制御手段３６は、通信手段４２に、図９に示すアドレス情報一時保存領域４６ａに記憶されたアドレス情報の通信先に対して、画像データ領域４８ｃの画像データを送信させるようになっている（図１０中、ステップＳ２０６）。
【００９２】
また、ステップＳ２０４において、図９に示すアドレス情報一時保存領域４６ａに記憶されたアドレス情報と、アドレス情報継続保存領域４８ａに記憶されていたアドレス情報が互いに一致した場合には（図１０中、ステップＳ２０４のＮＯ）、端末側制御手段３６は、通信手段４２に、図９に示すアドレス情報継続保存領域４８ａに記憶されたアドレス情報の通信先に対して、画像データ領域４８ｃの画像データを送信させるようになっている（図１０中、ステップＳ２０７）。
【００９３】
このような本実施の形態に係る携帯電話機用カメラユニットシステム、並びに、このような携帯電話機用カメラユニットシステムに用いられる携帯電話機６０及びカメラユニット６２によれば、前記第１及び第２の実施の形態と同様に、カメラユニット６２で撮影した画像データは、必ずカメラ側記憶手段２８に記憶されているアドレス情報が示す通信先に送信されるため、撮影した画像が、意に反して漏洩したり拡散したりすることを防止することができる。
【００９４】
例えば、前記第１及び第２の実施の形態と同様に、カメラユニット６２の所持者であるユーザーが、他人が所持する携帯電話機６０を借りて撮影をしたような場合でも、カメラユニット６２の所持者であるユーザーは、自分が撮影した画像を送信する際に、確実に、カメラユニット６２のカメラ側記憶手段２８に記憶されているアドレス情報の通信先に送信することができるため、撮影した画像が意に反して拡散することを防止することができる。
【００９５】
次に、図１ないし図３、及び図１１ないし図１３に基づいて、本発明の第４の実施の形態に係る、携帯電話機用カメラユニットシステム（端末装置用カメラユニットシステムに相当）、並びに、このような携帯電話機用カメラユニットシステムに用いられる携帯電話機７０（端末装置に相当）、及びカメラユニット７２について説明する。前記第３の実施の形態に係る携帯電話機６０及びカメラユニット６２と同様の部分には同じ符号を付して説明し、同様の構成についての重複する説明は省略するものとする。
【００９６】
図１１に示すように、本実施の形態に係る携帯電話機７０は、第２比較手段７４を備えるようになっている点で、前記第３の実施の形態に係る携帯電話機６０と異なっている。
【００９７】
また、図１２に示すように、端末側記憶手段４０のＳＤＲＡＭ４６には、前記第２の実施の形態と同様のアドレス情報一時保存領域４６ａ及び画像データ領域４６ｃの他に、入力アドレス一時保存領域４６ｄが設けられている。
【００９８】
ここで、このＳＤＲＡＭ４６の入力アドレス一時保存領域４６ｄには、後述するような端末側制御手段３６の処理動作により、ユーザーが操作手段６から入力した回線網上のアドレスが格納されるようになっている。
【００９９】
端末側記憶手段４０は、端末側制御手段３６の処理動作により、入力アドレス一時保存領域４６ｄにアドレスが格納されると、直ちに、この入力アドレス一時保存領域４６ｄに記憶されたアドレスと、アドレス情報一時保存領域４６ａに記憶されているアドレス情報のそれぞれを、図１１に示す第２比較手段７４に出力するようになっている。
【０１００】
第２比較手段７４は、入力アドレス一時保存領域４６ｄに記憶されたアドレスと、アドレス情報一時保存領域４６ａに記憶されているアドレス情報のそれぞれを端末側記憶手段４０から受信すると、これらが互いに一致するかどうかについて比較し、このように比較した結果を端末側制御手段３６に出力するようになっている。
【０１０１】
端末側制御手段３６は、第２比較手段７４から、入力アドレス一時保存領域４６ｄに記憶されたアドレスと、アドレス情報一時保存領域４６ａに記憶されているアドレス情報が互いに一致するとの結果を受信すると、通信手段４２に命令して、アドレス情報一時保存領域４６ａのアドレス情報が示す通信先に対して、画像データ領域４８ｃの画像データを送信させるようになっている。
【０１０２】
次に、図１３のフローチャートに基づき、携帯電話機７０の操作手段６によりカメラモードを起動する操作が行なわれた後の端末側制御手段３６等の処理動作について説明する。
【０１０３】
図１３中のフローチャートにおいて、このフローチャートの処理動作が開始された後のステップＳ３０５までの処理動作は、前記第３の実施の形態における図１０のステップＳ２０５までの処理動作と同様に行なわれる。
【０１０４】
また、図１３のステップＳ３０４において、端末側記憶手段４０のＳＤＲＡＭ４６におけるアドレス情報一時保存領域４６ａに記憶されたアドレス情報と、フラッシュメモリ４８のアドレス情報継続保存領域４８ａに記憶されていたアドレス情報とが互いに一致すると、第１比較手段６４が判断したような場合には（ステップＳ３０４のＮＯ）、前記第３の実施の形態と異なり、ステップＳ３０６に移行するようになっている。
【０１０５】
ステップＳ３０６において端末側制御手段３６は、表示手段１０に、ユーザーに送信先のアドレスを入力するように促す旨の表示を行なわせるようになっている。このステップＳ３０６において、操作手段６から送信先のアドレスが入力されると、端末側制御手段３６は、このアドレスを、端末側記憶手段４０のＳＤＲＡＭ４６における入力アドレス一時保存領域４６ｄ（図１２参照）に格納するようになっている（図１３中、ステップＳ３０７）。
【０１０６】
そして、入力アドレス一時保存領域４６ｄに格納されたアドレスと、ステップＳ３０３においてアドレス情報一時保存領域４６ａに記憶されたアドレス情報とが、図１１に示す第２比較手段７４により比較され（図１３中、ステップＳ３０８）、両者が一致した場合には（ステップＳ３０８のＹＥＳ）、端末側制御手段３６はステップＳ３０９において、通信手段４２に、図１２に示すアドレス情報一時保存領域４６ａに記憶されているアドレス情報の通信先に対し、画像データ領域４８ｃの画像データを送信させるようになっている。
【０１０７】
また、図１３のステップＳ３０８において、入力アドレス一時保存領域４６ｄに格納されたアドレスと、ステップＳ３０３においてアドレス情報一時保存領域４６ａに記憶されたアドレス情報とが相違した場合には（ステップＳ３０８のＮＯ）、端末側制御手段３６は、通信手段４２に画像データの送信を行なわせずに、一連の処理動作を終了するようになっている。
【０１０８】
このような本実施の形態に係る携帯電話機用カメラユニットシステム、並びに、このような携帯電話機用カメラユニットシステムに用いられる携帯電話機７０及びカメラユニット７２によれば、前記第１ないし第３の実施の形態と同様に、カメラユニット７２で撮影した画像データは、必ずカメラ側記憶手段２８に記憶されているアドレス情報が示す通信先に送信されるため、撮影した画像が、意に反して漏洩したり拡散したりすることを防止することができる。
【０１０９】
例えば、前記第１ないし第３の実施の形態と同様に、カメラユニット７２の所持者であるユーザーが、他人が所持する携帯電話機７０を借りて撮影をしたような場合でも、カメラユニット７２の所持者であるユーザーは、自分が撮影した画像を送信する際に、確実に、カメラユニット７２のカメラ側記憶手段２８に記憶されているアドレス情報の通信先に送信することができるため、撮影した画像が意に反して拡散することを防止することができる。
【０１１０】
また、ユーザー以外の第三者が、ユーザーが所持するカメラユニット７２を不当に自己の携帯電話機７０に装着して撮影を行なったような場合でも、カメラモードを終了して画像データを送信する直前に、カメラユニット７２が保持するアドレス情報と同一のアドレスを入力しなければ、送信することができないようになっているため、カメラユニット７２のユーザーにとって不要の画像が送信されてしまうことを防止することができる。
【０１１１】
次に、図１ないし図３、図９、図１４及び図１５に基づいて、本発明の第５の実施の形態に係る、携帯電話機用カメラユニットシステム（端末装置用カメラユニットシステムに相当）、並びに、このような携帯電話機用カメラユニットシステムに用いられる携帯電話機８０（端末装置に相当）、及びカメラユニット８２について説明する。前記第３の実施の形態に係る携帯電話機６０及びカメラユニット６２と同様の部分には同じ符号を付して説明し、同様の構成についての重複する説明は省略するものとする。
【０１１２】
図１４に示すように、本実施の形態に係る携帯電話機８０は、検知手段８４を備えるようになっている点で、前記第３の実施の形態に係る携帯電話機６０と異なっている。検知手段８４は、図２及び図３中において図示されていないが、図２に示すように、カメラユニット８２が携帯電話機８０の第１筐体８に装着された場合には、これを検出して、図１４に示すように、カメラユニット８２が装着された旨の装着信号を端末側制御手段３６に出力するようになっている。このような動作を行なう検知手段８４としては、光学的センサや磁気的センサ、又は機械的スイッチ等を用いることができる。
【０１１３】
また、端末側制御手段３６は、前記第３の実施の形態において、カメラモードが終了したときに、情報取得手段３２にカメラ側記憶手段２８のアドレス情報を取得するように命令していたが、これに対して本実施の形態においては、検知手段８４からカメラユニット８２が装着された旨の装着信号を受信したときに、情報取得手段３２にカメラ側記憶手段２８のアドレス情報を取得するよう命令するようになっている。また、上記のことから、カメラユニット８２を紛失しても、他人が使用できないため、本人の手元に戻ってくることが多くなると考えられる。
【０１１４】
また、端末側制御手段３６は、前記第３の実施の形態において、第１比較手段６４から、図９に示すアドレス情報一時保存領域４６ａに記憶されたアドレス情報と、アドレス情報継続保存領域４８ａに記憶されたアドレス情報とが相違するかどうかの結果を受信した後に、通信手段４２に画像データの送信をさせるようになっていたが、これに対して本実施の形態では、端末側制御手段３６は、第１比較手段６４からの結果を受信した後であって、通信手段４２に画像データの送信を行なわせる前に、カメラモードを起動するようになっている。
【０１１５】
次に、図１５のフローチャートに基づき、携帯電話機８０にカメラユニット８２を装着した後の端末側制御手段３６等の処理動作について説明する。
【０１１６】
端末側制御手段３６は、検知手段８４から、携帯電話機８０にカメラユニット８２が装着された旨の装着信号を受信すると（ステップＳ４０１のＹＥＳ）、図１４に示すように、情報取得手段３２に命令して、カメラユニット８２のカメラ側記憶手段２８からアドレス情報を取得させ、図９に示すように、これを端末側記憶手段４０のＳＤＲＡＭ４６におけるアドレス情報一時保存領域４６ａに格納させるようになっている（図１５中、ステップＳ４０２）。
【０１１７】
そして、図９に示す端末側記憶手段４０のＳＤＲＡＭ４６におけるアドレス情報一時保存領域４６ａに記憶されたアドレス情報と、フラッシュメモリ４８のアドレス情報継続保存領域４８ａに記憶されていたアドレス情報は、図１４に示す第１比較手段６４により、比較されるようになっている（図１５中、ステップＳ４０３）。
【０１１８】
両者が相違している場合には（ステップＳ４０３のＹＥＳ）、端末側制御手段３６はステップＳ４０４において、端末側記憶手段４０のフラッシュメモリ４８におけるアドレス情報継続保存領域４８ａに記憶されていたアドレス情報を、ＳＤＲＡＭ４６のアドレス情報一時保存領域４６ａに記憶されたアドレス情報と同一の内容に変更して記憶させるようになっている（図９参照）。
【０１１９】
そして、端末側制御手段３６は、ステップＳ４０５において、カメラモードを起動させるようになっている。カメラモードの動作中においては、ユーザーは撮影を行なうことができる（ステップＳ４０６）。カメラモードを終了させると（ステップＳ４０７）、端末側制御手段３６は、通信手段４２に、図９に示すアドレス情報一時保存領域４６ａに記憶されているアドレス情報の通信先に対して、ステップＳ４０６で撮影した画像データ領域４８ｃの画像データを送信させるようになっている（図１５中、ステップＳ４０８）。
【０１２０】
また、ステップＳ４０３において、図９に示すアドレス情報一時保存領域４６ａに記憶されたアドレス情報と、アドレス情報継続保存領域４８ａに記憶されていたアドレス情報が互いに一致した場合には（図１５中、ステップＳ４０３のＮＯ）、ステップＳ４０９に移行するようになっている。
【０１２１】
ステップＳ４０９では、ステップＳ４０５と同様に、カメラモードが自動的に起動するようになっており、ユーザーは撮影を行なうことができる（ステップＳ４１０）。ステップＳ４１１でカメラモードの動作が終了した後、端末側制御手段３６は、通信手段４２に、図９に示すアドレス情報継続保存領域４８ａに記憶されているアドレス情報の通信先に対して、ステップＳ４１０で撮影した画像データ領域４８ｃの画像データを送信させるようになっている（図１５中、ステップＳ４１２）。
【０１２２】
このような本実施の形態に係る携帯電話機用カメラユニットシステム、並びに、このような携帯電話機用カメラユニットシステムに用いられる携帯電話機８０及びカメラユニット８２によれば、前記第１ないし第４の実施の形態と同様に、カメラユニット８２で撮影した画像データは、必ずカメラ側記憶手段２８に記憶されているアドレス情報が示す通信先に送信されるため、撮影した画像が、意に反して漏洩したり拡散したりすることを防止することができる。
【０１２３】
例えば、前記第１ないし第４の実施の形態と同様に、カメラユニット８２の所持者であるユーザーが、他人が所持する携帯電話機８０を借りて撮影をしたような場合でも、カメラユニット８２の所持者であるユーザーは、自分が撮影した画像を送信する際に、確実に、カメラユニット８２のカメラ側記憶手段２８に記憶されているアドレス情報の通信先に送信することができるため、撮影した画像が意に反して拡散することを防止することができる。
【０１２４】
また、携帯電話機８０に装着されるカメラユニット８２が交換されて、画像データの送信先を示すアドレス情報が異なるものに変更される必要があるような場合でも、携帯電話機８０の検知手段８４が、カメラユニット８２の交換等を検知して、アドレス情報の変更等を自動的に行なうようになっているため、特定のカメラユニットで撮影された画像データを、特定の送信先にしか送信させないようにすることを確実にすることができる。
【０１２５】
次に、図１ないし図３、及び図１６ないし図１８に基づいて、本発明の第６の実施の形態に係る、携帯電話機用カメラユニットシステム（端末装置用カメラユニットシステムに相当）、並びに、このような携帯電話機用カメラユニットシステムに用いられる携帯電話機９０（端末装置に相当）、及びカメラユニット９２について説明する。前記第３の実施の形態に係る携帯電話機６０及びカメラユニット６２と同様の部分には同じ符号を付して説明し、同様の構成についての重複する説明は省略するものとする。
【０１２６】
本実施の形態に係るカメラユニット９２において、図１６に示すカメラ側記憶手段２８は、前記第３の実施の形態と同様のアドレス情報だけでなく、ユーザーが設定することができる識別情報も記憶している。
【０１２７】
また、図１７に示すように、携帯電話機９０の端末側記憶手段４０におけるＳＤＲＡＭ４６には、前記第３の実施の形態と同様のアドレス情報一時保存領域４６ａ及び画像データ領域４６ｃが設けられているだけでなく、識別情報一時保存領域４６ｅが設けられている。
【０１２８】
フラッシュメモリ４８には、前記第１の実施の形態と同様のアドレス情報継続保存領域４８ａ、プログラム領域４８ｂ及び画像データ領域４８ｃが設けられているだけでなく、識別情報継続保存領域４８ｅが設けられている。
【０１２９】
図１６に示す情報取得手段３２は、カメラユニット６２のカメラ側記憶手段２８からアドレス情報を取得するだけでなく、識別情報についても取得することができるようになっており、これらを端末側記憶手段４０に格納するようになっている。情報取得手段３２により取得された識別情報は、図１７に示すように、ＳＤＲＡＭ４６の識別情報一時保存領域４６ｅに記憶されるようになっている。
【０１３０】
また、前記第３の実施の形態において、携帯電話機６０は第１比較手段６４を備えていたが（図８参照）、これに対して本実施の形態では、図１６に示すように、このような第１比較手段６４に代えて、第３比較手段９４を備えている。前記第３の実施の形態に係る第１比較手段６４は、アドレス情報を比較するようになっていたが、本実施の形態に係る第３比較手段９４は、図１７に示すＳＤＲＡＭ４６の識別情報一時保存領域４６ｅに記憶された識別情報と、フラッシュメモリ４８の識別情報継続保存領域４８ｅに記憶されていた識別情報とを比較するようになっている。
【０１３１】
ここで、フラッシュメモリ４８の識別情報継続保存領域４８ｅに記憶されている識別情報は、後述するような端末側制御手段３６の処理動作により記憶されていたものである。
【０１３２】
また、端末側制御手段３６は、カメラモードの起動後に、このカメラモードを終了する操作が行なわれると、情報取得手段３２に命令して、カメラユニット９２におけるカメラ側記憶手段２８の識別情報を取得させるようになっている。
【０１３３】
また、図１６に示す端末側制御手段３６は、第３比較手段９４から、図１７に示すＳＤＲＡＭ４６の識別情報一時保存領域４６ｅに記憶された識別情報と、フラッシュメモリ４８の識別情報継続保存領域４８ａに記憶されていた識別情報が互いに相違するとの結果を受信すると、情報取得手段３２に命令し、カメラユニット９２におけるカメラ側記憶手段２８のアドレス情報を取得させると共に、このアドレス情報をＳＤＲＡＭ４６のアドレス情報一時保存領域４６ａに格納させるようになっている。
【０１３４】
そして、フラッシュメモリ４８のアドレス情報継続保存領域４８ａに記憶されていたアドレス情報、及び識別情報継続保存領域４８ｅに記憶されていた識別情報のそれぞれを、ＳＤＲＡＭ４６におけるアドレス情報一時保存領域４６ａのアドレス情報、及び識別情報一時保存領域４６ｅの識別情報と同一の内容に変更して記憶させるようになっている。
【０１３５】
次に、図１８のフローチャートに基づき、携帯電話機９０の操作手段６によりカメラモードを起動する操作が行なわれた後の端末側制御手段３６等の処理動作について説明する。
【０１３６】
図１８中のフローチャートにおいて、このフローチャートの処理動作が開始された後のステップＳ５０２までの処理動作は、前記第３の実施の形態における図１０のステップＳ２０２までの処理動作と同様に行なわれる。
【０１３７】
カメラモードが終了（図１８中、ステップＳ５０２のＹＥＳ）した後のステップＳ５０３において、図１６に示す端末側制御手段３６は、情報取得手段３２に命令し、カメラ側記憶手段２８の識別情報を読み出させ、これを図１７に示す端末側記憶手段４０のＳＤＲＡＭ４６における識別情報一時保存領域４６ｅに記憶させるようになっている。
【０１３８】
そして、図１８中のステップＳ５０４において、端末側記憶手段４０は、そのＳＤＲＡＭ４６の識別情報一時保存領域４６ｅに記憶された識別情報と、フラッシュメモリ４８の識別情報継続保存領域４８ｅに記憶されていた識別情報とを、図１６に示す第３比較手段９４に出力するようになっており、この第３比較手段９４が、両者を比較するようになっている。
【０１３９】
両者が相違している場合には（図１８中、ステップＳ５０４のＹＥＳ）、端末側制御手段３６はステップＳ５０５において、情報取得手段３２に命令し、カメラユニット９２におけるカメラ側記憶手段２８のアドレス情報を取得させると共に、このアドレス情報を図１７に示すＳＤＲＡＭ４６のアドレス情報一時保存領域４６ａに格納させる。
【０１４０】
また、フラッシュメモリ４８のアドレス情報継続保存領域４８ａに記憶されていたアドレス情報、及び識別情報継続保存領域４８ｅに記憶されていた識別情報のそれぞれを、ＳＤＲＡＭ４６におけるアドレス情報一時保存領域４６ａのアドレス情報、及び識別情報一時保存領域４６ｅの識別情報と同一の内容に変更して記憶させるようになっている（図１８中、ステップＳ５０６）。
【０１４１】
そして、端末側制御手段３６は、通信手段４２に、図１７に示すアドレス情報一時保存領域４６ａに記憶されたアドレス情報の通信先に対して、画像データ領域４８ｃの画像データを送信させるようになっている（図１８中、ステップＳ５０７）。
【０１４２】
また、ステップＳ５０４において、図１７に示す識別情報一時保存領域４６ｅに記憶された識別情報と、識別情報継続保存領域４８ｅに記憶されていた識別情報が互いに一致した場合には（図１８中、ステップＳ５０４のＮＯ）、端末側制御手段３６は、通信手段４２に、図１７に示すアドレス情報継続保存領域４８ａに記憶されていたアドレス情報の通信先に対して、画像データ領域４８ｃの画像データを送信させるようになっている（図１８中、ステップＳ５０８）。
【０１４３】
このような本実施の形態に係る携帯電話機用カメラユニットシステム、並びに、このような携帯電話機用カメラユニットシステムに用いられる携帯電話機９０及びカメラユニット９２によれば、前記第１ないし第５の実施の形態と同様に、カメラユニット９２で撮影した画像データは、必ずカメラ側記憶手段２８に記憶されているアドレス情報が示す通信先に送信されるため、撮影した画像が、意に反して漏洩したり拡散したりすることを防止することができる。
【０１４４】
例えば、前記第１ないし第５の実施の形態と同様に、カメラユニット９２の所持者であるユーザーが、他人が所持する携帯電話機９０を借りて撮影をしたような場合でも、カメラユニット９２の所持者であるユーザーは、自分が撮影した画像を送信する際に、確実に、カメラユニット９２のカメラ側記憶手段２８に記憶されているアドレス情報の通信先に送信することができるため、撮影した画像が意に反して拡散することを防止することができる。
【０１４５】
次に、図５、図１９及び図２０に基づいて、本発明の第７の実施の形態に係る、監視カメラ用カメラユニットシステム（端末装置用カメラユニットシステムに相当）、並びに、このような監視カメラ用カメラユニットシステムに用いられる監視カメラ本体１００（端末装置に相当）、及びカメラユニット１０２について説明する。前記第１の実施の形態に係る携帯電話機２及びカメラユニット４と同様の部分には同じ符号を付して説明し、同様の構成についての重複する説明は省略するものとする。
【０１４６】
本実施の形態に係る監視カメラ本体１００及びカメラユニット１０２は、その外観形状等について図示しないが、第１の実施の形態に係る携帯電話機２及びカメラユニット４と同様に、カメラユニット１０２が監視カメラ本体１００に装着自在であって交換可能になっている。本実施の形態に係る監視カメラ本体１００は、店舗、工場及び建物等に設置することができるものであるが、このような場所に限定されず、様々な場所に設置することができる。
【０１４７】
図１９に示すように、本実施の形態に係る監視カメラ本体１００は、レリーズスイッチ１４を備えていない点で、前記第１の実施の形態に係る携帯電話機２の回路構成と異なっている。また、情報取得手段３２は、監視カメラ本体１００にカメラユニット１０２が装着されてカメラ側制御手段と電気的に導通したときに、カメラ側記憶手段２８に記憶されているアドレス情報を取得するようになっている。
【０１４８】
次に、図２０のフローチャートに基づき、監視カメラ本体１００にカメラユニット１０２を装着した後の端末側制御手段３６等の処理動作について説明する。
【０１４９】
監視カメラ本体１００にカメラユニット１０２が装着されると（ステップＳ６０１）、図１９に示すように、情報取得手段３２は、カメラ側記憶手段２８に記憶されているアドレス情報を取得して、これを通信手段４２に出力するようになっている（図２０中、ステップＳ６０２）。
【０１５０】
通信手段４２は、情報取得手段３２から受信したアドレス情報が示す通信先との通信を開始し（ステップＳ６０３）、通信を終了させる操作（ステップＳ６０６のＹＥＳ）が行なわれるまで、この通信を継続させるようになっている。
【０１５１】
ステップＳ６０３で通信が開始されると、端末側制御手段３６は、通信を終了させる操作（ステップＳ６０６のＹＥＳ）が行なわれるまで、所定時間ごとにステップＳ６０４及びステップＳ６０５の処理動作を繰り返して行なうよう制御するようになっている。
【０１５２】
ステップＳ６０４において端末側制御手段３６は、画像データ取得手段３８に命令して、カメラユニット４から受信した画像データ、又はこの画像データに所定の処理を施したものを、端末側記憶手段４０に記憶させるようになっている。
【０１５３】
ここで、端末側記憶手段４０に記憶される画像データは、図１９に示すように、前記第１の実施の形態と同様に、一旦、図５に示すＳＤＲＡＭ４６の画像データ領域４６ｃに記憶された後、この画像データ領域４６ｃの画像データが、画像データ取得手段３８によりＪＰＥＧ圧縮の処理を施されてから、フラッシュメモリ４８の画像データ領域４８ｃに記憶されるようになっている。
【０１５４】
そして、端末側制御手段３６は、通信手段４２に命令して、フラッシュメモリ４８の画像データ領域４８ｃに記憶された画像データを、通信中の通信先に送信させるようになっている（図２０中、ステップＳ６０５）。
【０１５５】
このような本実施の形態に係る監視カメラ用カメラユニットシステム、並びに、このような携帯電話機用カメラユニットシステムに用いられる監視カメラ本体１００及びカメラユニット１０２によれば、前記第１ないし第６の実施の形態と同様に、カメラユニット１０２で撮影した画像データは、必ずカメラ側記憶手段２８に記憶されているアドレス情報が示す通信先に送信されるため、撮影した画像が、意に反して漏洩したり拡散したりすることを防止することができる。
【０１５６】
なお、前記第５の実施の形態では、図１５に示すフローチャートのステップＳ４０２及びステップＳ４０３において、取得したアドレス情報を比較するようになっていたが、前記だい６の実施の形態のように、識別情報を比較するようになっていてもよい。
【０１５７】
このような場合には、図１４に示す第１比較手段６４に代えて、第３比較手段を設けるようにすると共に、端末側記憶手段４０に識別情報一時保存領域４６ｅ及び識別情報継続保存領域４８ｅを設ける。また、図１５に示すフローチャートのステップＳ４０４の処理動作に代えて、図１８に示すステップＳ５０５及びステップＳ５０６の処理動作を行なわせるようにすることはいうまでもない。
【０１５８】
また、前記第５の実施の形態では、図１５に示すフローチャートのステップＳ４０７でカメラモードを終了した直後に、ステップＳ４０８で画像データの送信を行なうようになっているが、このステップＳ４０８に代えて、前記第４の実施の形態における図１３のステップＳ３０６ないしステップＳ３０９のような処理動作を行なうようになっていてもよい。
【０１５９】
すなわち、ユーザーが入力したアドレスが、端末側記憶手段４０のＳＤＲＡＭ４６におけるアドレス情報一時保存領域４６ａに記憶されたアドレス情報と一致した場合にのみ、画像データの送信を行なうようになっていてもよい。
【０１６０】
このような前記第４の実施の形態における図１３のステップＳ３０６ないしステップＳ３０９のような処理動作を行なうようにする場合には、前記第４の実施の形態と同様の第２比較手段７４（図１１参照）を設けると共に、端末側記憶手段４０に入力アドレス一時保存領域４６ｄ（図１２参照）を設けるようにすることはいうまでもない。
【０１６１】
また、前記第６の実施の形態では、図１８に示すフローチャートのステップＳ５０４で識別情報が相違している場合には（ステップＳ５０４のＹＥＳ）、その後のステップＳ５０７において画像データの送信を行なうようになっていたが、このようなステップＳ５０７の処理動作に代えて、前記第４の実施の形態における図１３のステップＳ３０６ないしステップＳ３０９のような処理動作を行なうようになっていてもよい。
【０１６２】
すなわち、ユーザーが入力したアドレスが、端末側記憶手段４０のＳＤＲＡＭ４６におけるアドレス情報一時保存領域４６ａに記憶されたアドレス情報と一致した場合にのみ、画像データの送信を行なうようになっていてもよい。
【０１６３】
このような前記第４の実施の形態における図１３のステップＳ３０６ないしステップＳ３０９のような処理動作を行なうようにする場合には、前記第４の実施の形態と同様の第２比較手段７４（図１１参照）を設けると共に、端末側記憶手段４０に入力アドレス一時保存領域４６ｄ（図１２参照）を設けるようにすることはいうまでもない。
【０１６４】
また、前記第７の実施の形態では、図２０に示すフローチャートのステップＳ６０１及びステップＳ６０２において、情報取得手段３２は、監視カメラ本体１００にカメラユニット１０２が装着されてカメラ側制御手段と電気的に導通したときに、カメラ側記憶手段２８に記憶されているアドレス情報を取得するようになっていたが、監視カメラ本体１００に、前記第５の実施の形態と同様の検知手段８４を設けて、カメラユニット１０２の装着を検出したときに、これに基づいて情報取得手段３２がアドレス情報を取得するようになっていてもよい。
【０１６５】
また、前記第７の実施の形態では、図１９に示すように、情報取得手段３２は、取得したアドレス情報を通信手段４２に出力するようになっていたが、前記第３の実施の形態のように、第１比較手段６４を備えると共に、端末側記憶手段４０がアドレス情報一時保存領域４６ａ及びアドレス情報継続保存領域４８ａを有して、情報取得手段３２が取得したアドレス情報をアドレス情報一時保存領域４６ａに格納するようになっていてもよい。
【０１６６】
このような場合には、図２０に示すフローチャートのステップＳ６０２において、取得したアドレス情報をアドレス情報一時保存領域４６ａに記憶させるようにし、このステップＳ６０２の直後において、前記第３の実施の形態における図１０のステップＳ２０４のようなアドレス情報の比較を行なうようにすることができる。
【０１６７】
そして、このような比較において、アドレス情報一時保存領域４６ａに記憶されたアドレス情報と、アドレス情報継続保存領域４８ａに記憶されていたアドレス情報が相違した場合には、ステップＳ６０３のように、ステップＳ６０２で取得したアドレス情報が示す通信先との通信を開始し、両者が一致した場合にはアドレス情報継続保存領域４８ａに記憶されていたアドレス情報が示す通信先との通信を開始して、ステップＳ６０４に移行するようにすることができる。
【０１６８】
また、このように、前記第７の実施の形態における図２０のステップＳ６０２の直後において、前記第３の実施の形態におけるステップＳ２０４のようなアドレス情報が相違するかどうかの比較をすることができるが、これに代えて、前記第６の実施の形態のように、識別情報を比較するようになっていてもよい。
【０１６９】
また、前記第５の実施の形態等においては、本発明の端末装置用カメラユニットシステムの携帯電話機８０側にカメラユニット８２の装着を検出する検知手段８４を備えた例を示したが、本発明はこれに限定されず、例えば、カメラユニット８２側に同様の検知手段を備え、検知した結果を該検知手段が直接携帯電話機８０側に通知するものや、該検知手段が一旦カメラユニット８２側に通知し該カメラユニット８２が携帯電話機８０に通知するものであってもよい。
【０１７０】
さらに、カメラユニット８２が携帯電話機８０に装着された際、電源４４からの電源供給を受けカメラユニット８２が通電されたことに起因してカメラユニット８２側のカメラ制御手段３０（例えばマイコン等であってもよい。）が端末側制御手段３６に通信パスや各種ポートを介して装着を通知するようにしてもよい。
【０１７１】
また、前記第５の実施の形態等においては、携帯電話機８０にカメラユニット８２が装着された場合に、検知手段８４が、これを検知して、図１５に示すフローチャートの処理動作を行なうようになっていたが、携帯電話機８０の電源をオンにしたときに、このフローチャートのステップＳ４０１からの処理動作が行なわれるようになっていてもよい。
【０１７２】
また、前記第１ないし第４、及び第６の実施の形態において、第５の実施の形態と同様の検知手段８４を設け、カメラモードを起動する操作が行なわれたときに、カメラユニット４，５２，６２，７２，９２が装着されているかどうかを検出させるようになっていてもよい。
【０１７３】
また、前記第２ないし第６の実施の形態においては、本発明の端末装置用カメラユニットシステムの携帯電話機５０，６０，７０，８０，９０は端末側記憶手段４０における揮発性のＳＤＲＡＭ４６のアドレス情報一時保存領域４６ａにアドレス情報を保存する例を示したが、本発明はこれに限定されず、不揮発性のメモリであってもよいのはいうまでもなく、例えば、携帯電話機５０，６０，７０，８０，９０側に独自に設けられたアドレス情報を専用に記憶する記憶手段や、携帯端末装置に着脱可能なメモリカードなどの記憶媒体に保存するようなものであってもよい。
【０１７４】
また、前記第１ないし第７の実施の形態においては、本発明の端末装置用カメラユニットシステムは、図４、図７、図８、図１１、図１４、図１６及び図１９に示すように、携帯電話機２，５０，６０，７０，８０，９０及び監視カメラ本体１００側の情報取得手段３２により、カメラ側制御手段３０又は情報出力手段３０ａを介してカメラ側記憶手段２８からアドレス情報を取得する例を示したが、本発明はこれに限定されない。
【０１７５】
例えば、カメラユニット２，６２，７２，８２，９２，１０２が、カメラ側制御手段３０に代えて、図７に示すような前記第２の実施の形態における画像制御手段３０ｂ及び画像処理手段３０ｃだけを備えるようになっていて、携帯電話機２，６０，７０，８０，９０及び監視カメラ本体１００の情報取得手段３２が、カメラユニット２，６２，７２，８２，９２，１０２のカメラ側記憶手段２８から直接アドレス情報を取得するようになっているか、又は、カメラ側記憶手段２８が情報取得手段３２に直接アドレス情報を提供するようになっていてもよい。
【０１７６】
或いは、カメラユニット２，６２，７２，８２，９２，１０２のカメラ側記憶手段２８から、カメラ側制御手段３０を介して間接的に、アドレス情報を情報取得手段３２に提供するようになっていてもよい。また、情報取得手段３２、端末側記憶手段４０、第１比較手段６４、第２比較手段７４及び第３比較手段９４は、端末側制御手段３６と一体化したマイコンなどで構成してもよいことはいうまでもない。
【０１７７】
また、前記第１及び第３ないし第７の実施の形態においては、本発明の端末装置用カメラユニットシステムは、画像データ取得手段３８を携帯電話機２，６０，７０，８０，９０及び監視カメラ本体１００側に設け、カメラ側制御手段３０をカメラユニット２，６２，７２，８２，９２，１０２側に設けた例を示したが、本発明はこれに限定されず、画像データ取得手段３８をカメラユニット２，６２，７２，８２，９２，１０２側に配置してもよい他、カメラユニット２，６２，７２，８２，９２，１０２側には撮像手段２６とカメラ側記憶手段２８のみを配置し、カメラ側制御手段３０を携帯電話機２，６０，７０，８０，９０及び監視カメラ本体１００側に配置してもよい。
【０１７８】
また、前記第１ないし第７の実施の形態においては、本発明の端末装置用カメラユニットシステムに用いられる端末装置が、機携帯電話機２，６０，７０，８０，９０及び監視カメラ本体１００であるような場合について説明したが、本発明の端末装置用カメラユニットシステムに用いることができる端末装置は、このような携帯電話機２，６０，７０，８０，９０及び監視カメラ本体１００に限定されないことはいうまでもない。
【図面の簡単な説明】
【０１７９】
【図１】本発明の第１ないし第６の実施の形態に係る携帯電話機２，５０，６０，７０，８０，９０、及びカメラユニット４，５２，６２，７２，８２，９２を示す斜視図である。
【図２】本発明の第１ないし第６の実施の形態に係る携帯電話機２，５０，６０，７０，８０，９０の雌ネジ部１６にカメラユニット４，５２，６２，７２，８２，９２を装着した状態の断面図であって、図１におけるＡ−Ａ線矢視の断面図である。
【図３】本発明の第１ないし第６の実施の形態に係る携帯電話機２，５０，６０，７０，８０，９０の雌ネジ部１６にカバーユニット２４を装着した状態の断面図であって、図１におけるＡ−Ａ線矢視の断面図である。
【図４】本発明の第１の実施の形態に係る携帯電話機２及びカメラユニット４の回路ブロック図である。
【図５】本発明の第１、第２及び第７の実施の形態における端末側記憶手段４０の構成を示す概念図である。
【図６】本発明の第１及び第２の実施の形態における携帯電話機２及びカメラユニット４の動作手順を示すフローチャートである。
【図７】本発明の第２の実施の形態に係る携帯電話機５０及びカメラユニット５２の回路ブロック図である。
【図８】本発明の第３の実施の形態に係る携帯電話機６０及びカメラユニット６２の回路ブロック図である。
【図９】本発明の第３及び第５の実施の形態における端末側記憶手段４０の構成を示す概念図である。
【図１０】本発明の第３の実施の形態における携帯電話機６０及びカメラユニット６２の動作手順を示すフローチャートである。
【図１１】本発明の第４の実施の形態に係る携帯電話機７０及びカメラユニット７２の回路ブロック図である。
【図１２】本発明の第４の実施の形態における端末側記憶手段４０の構成を示す概念図である。
【図１３】本発明の第４の実施の形態における携帯電話機７０及びカメラユニット７２の動作手順を示すフローチャートである。
【図１４】本発明の第５の実施の形態に係る携帯電話機８０及びカメラユニット８２の回路ブロック図である。
【図１５】本発明の第５の実施の形態における携帯電話機８０及びカメラユニット８２の動作手順を示すフローチャートである。
【図１６】本発明の第６の実施の形態に係る携帯電話機９０及びカメラユニット９２の回路ブロック図である。
【図１７】本発明の第６の実施の形態における端末側記憶手段４０の構成を示す概念図である。
【図１８】本発明の第６の実施の形態における携帯電話機９０及びカメラユニット９２の動作手順を示すフローチャートである。
【図１９】本発明の第７の実施の形態に係る監視カメラ本体１００及びカメラユニット１０２の回路ブロック図である。
【図２０】本発明の第７の実施の形態における監視カメラ本体１００及びカメラユニット１０２の動作手順を示すフローチャートである。
【符号の説明】
【０１８０】
２  携帯電話機
４  カメラユニット
４ａ  撮像レンズ
４ｂ  雄ネジ部（係合部）
４ｃ  コネクタ
６  操作手段
７  マイクロホン
８  第１筐体
８ａ  操作面
８ｂ  側面
１０  表示手段
１１  スピーカー
１２  第２筐体
１４  レリーズスイッチ
１６  雌ネジ部（装着部）
１８  凹部
２０  配線基板
２２  コネクタ
２４  カバーユニット
２４ｂ  雄ネジ部（係合部）
２６  撮像手段
２８  カメラ側記憶手段
３０  カメラ側制御手段
３０ａ  情報出力手段
３０ｂ  撮像制御手段
３０ｃ  画像処理手段
３２  情報取得手段
３６  本体側制御手段
３８  画像データ取得手段
４０  端末側記憶手段
４２  通信手段
４４  電源
４６  ＳＤＲＡＭ
４６ａ  アドレス情報一時保存領域
４６ｃ  画像データ領域
４６ｄ  入力アドレス一時保存領域
４６ｅ  識別情報一時保存領域
４８  フラッシュメモリ
４８ａ  アドレス情報継続保存領域
４８ｂ  プログラム領域
４８ｃ  画像データ領域
４８ｅ  識別情報継続保存領域
５０  携帯電話機
５２  カメラユニット
６０  携帯電話機
６２  カメラユニット
６４  第１比較手段
７０  携帯電話機
７２  カメラユニット
７４  第２比較手段
８０  携帯電話機
８２  カメラユニット
８４  検知手段
９０  携帯電話機
９２  カメラユニット
９４  第３比較手段
１００  監視カメラ本体
１０２  カメラユニット
【図１】
2006067531.tif 000003
【図２】
2006067531.tif 000004
【図３】
2006067531.tif 000005
【図４】
2006067531.tif 000006
【図５】
2006067531.tif 000007
【図６】
2006067531.tif 000008
【図７】
2006067531.tif 000009
【図８】
2006067531.tif 000010
【図９】
2006067531.tif 000011
【図１０】
2006067531.tif 000012
【図１１】
2006067531.tif 000013
【図１２】
2006067531.tif 000014
【図１３】
2006067531.tif 000015
【図１４】
2006067531.tif 000016
【図１５】
2006067531.tif 000017
【図１６】
2006067531.tif 000018
【図１７】
2006067531.tif 000019
【図１８】
2006067531.tif 000020
【図１９】
2006067531.tif 000021
【図２０】
2006067531.tif 000022
【手続補正書】
【提出日】平成17年12月27日(2005.12.27)
【手続補正１】
【補正対象書類名】特許請求の範囲
【補正対象項目名】全文
【補正方法】変更
【補正の内容】
【特許請求の範囲】
【請求項１】
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記アドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記情報取得手段が取得したアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とする端末装置用カメラユニットシステム。
【請求項２】
前記端末装置は、前記カメラユニットの装着を検知する検知手段を更に備え、
前記端末装置は、前記検知手段により前記カメラユニットの装着を検知した場合、この端末装置の電源がオンされた場合、又は画像データを送信するための処理が開始された場合のいずれか１以上のときに、前記端末側記憶手段に記憶されているアドレス情報と前記情報取得手段が取得したアドレス情報との相違を判断する請求項１に記載の端末装置用カメラユニットシステム。
【請求項３】
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
前記カメラユニットを識別する識別情報、及び所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記識別情報及び前記アドレス情報を取得する情報取得手段と、
前記識別情報及び前記アドレス情報を記憶する端末側記憶手段とを備え、
前記端末側記憶手段に記憶されている識別情報と前記情報取得手段が取得した識別情報とが相違した場合、前記情報取得手段が前記カメラ側記憶手段から前記アドレス情報を取得して、このアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とする端末装置用カメラユニットシステム。
【請求項４】
前記端末装置は、前記カメラユニットの装着を検知する検知手段を更に備え、
前記端末装置は、前記検知手段により前記カメラユニットの装着を検知した場合、この端末装置の電源がオンされた場合、又は画像データを送信するための処理が開始された場合のいずれか１以上のときに、前記端末側記憶手段に記憶されている識別情報と前記情報取得手段が取得した識別情報との相違を判断する請求項３に記載の端末装置用カメラユニットシステム。
【請求項５】
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持するアドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記情報取得手段が取得したアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とする端末装置。
【請求項６】
前記カメラユニットの装着を検知する検知手段を更に備え、
前記検知手段により前記カメラユニットの装着を検知した場合、電源がオンされた場合、又は画像データを送信するための処理が開始された場合のいずれか１以上のときに、前記端末側記憶手段に記憶されているアドレス情報と前記情報取得手段が取得したアドレス情報との相違を判断する請求項５に記載の端末装置。
【請求項７】
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持する識別情報及びアドレス情報を取得する情報取得手段と、
前記識別情報及び前記アドレス情報を記憶する端末側記憶手段とを備え、
前記端末側記憶手段に記憶されている識別情報と前記情報取得手段が取得した識別情報とが相違した場合、前記情報取得手段が前記カメラ側記憶手段から前記アドレス情報を取得して、このアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とする端末装置。
【請求項８】
前記カメラユニットの装着を検知する検知手段を更に備え、
前記検知手段により前記カメラユニットの装着を検知した場合、電源がオンされた場合、又は画像データを送信するための処理が開始された場合のいずれか１以上のときに、前記端末側記憶手段に記憶されている識別情報と前記情報取得手段が取得した識別情報との相違を判断する請求項７に記載の端末装置。
【請求項９】
電話機能を前記通信手段に更に備え、
前記通信手段が前記電話機能実行中に前記相違を判断した場合、該実行が終了した後、前記通信手段により前記通信先に対して、前記画像データ取得手段が取得した画像データを送信処理する請求項５ないし８のいずれかに記載の端末装置。
【請求項１０】
任意のアドレス情報を入力することができる操作手段を更に備え、
前記操作手段から入力されたアドレス情報が、前記情報取得手段が取得したアドレス情報と相違した場合、前記画像データ取得手段が取得した画像データの送信処理を行なわないようにし、
前記操作手段から入力されたアドレス情報が、前記情報取得手段が取得したアドレス情報と一致する場合、前記画像データ取得手段が取得した画像データの送信処理を行なうようにした請求項５又は６に記載の端末装置。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
上記課題を解決するために本発明は、
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記アドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記情報取得手段が取得したアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とするものである。
【手続補正５】
【補正対象書類名】明細書
【補正対象項目名】００１２
【補正方法】変更
【補正の内容】
【００１２】
また、上記課題を解決するために本発明は、
カメラユニットと該カメラユニットを装着可能な端末装置とからなる端末装置用カメラユニットシステムであって、
前記カメラユニットは、
撮像手段と、
前記撮像手段により取得される画像データを前記端末装置側に出力する画像処理手段と、
前記カメラユニットを識別する識別情報、及び所定の通信先を特定するアドレス情報を記憶するカメラ側記憶手段とを備え、
前記端末装置は、
通信手段と、
前記画像処理手段が出力する前記画像データを取得する画像データ取得手段と、
前記カメラ側記憶手段から前記識別情報及び前記アドレス情報を取得する情報取得手段と、
前記識別情報及び前記アドレス情報を記憶する端末側記憶手段とを備え、
前記端末側記憶手段に記憶されている識別情報と前記情報取得手段が取得した識別情報とが相違した場合、前記情報取得手段が前記カメラ側記憶手段から前記アドレス情報を取得して、このアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とするものである。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
また、上記課題を解決するために本発明は、
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持するアドレス情報を取得する情報取得手段と、
前記アドレス情報を記憶する端末側記憶手段とを備え、
前記端末側記憶手段に記憶されているアドレス情報と前記情報取得手段が取得したアドレス情報とが相違した場合、前記情報取得手段が取得したアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とするものである。
【手続補正９】
【補正対象書類名】明細書
【補正対象項目名】００１８
【補正方法】変更
【補正の内容】
【００１８】
また、上記課題を解決するために本発明は、
撮像手段を有するカメラユニットと該カメラユニットを装着可能な端末装置とからなる端末装置用カメラユニットシステムに用いられる端末装置であって、
通信手段と、
前記カメラユニットにより撮影された画像データを取得する画像データ取得手段と、
前記カメラユニットが保持する識別情報及びアドレス情報を取得する情報取得手段と、
前記識別情報及び前記アドレス情報を記憶する端末側記憶手段とを備え、
前記端末側記憶手段に記憶されている識別情報と前記情報取得手段が取得した識別情報とが相違した場合、前記情報取得手段が前記カメラ側記憶手段から前記アドレス情報を取得して、このアドレス情報により特定される通信先を前記通信手段の通信先とし、
前記端末側記憶手段に記憶されているアドレス情報と前記情報取得手段が取得したアドレス情報とが一致した場合、前記端末側記憶手段に記憶されているアドレス情報により特定される通信先を前記通信手段の通信先とすることを特徴とするものである。
【手続補正１０】
【補正対象書類名】明細書
【補正対象項目名】００２０
【補正方法】削除
【補正の内容】
【手続補正１１】
【補正対象書類名】明細書
【補正対象項目名】００２２
【補正方法】変更
【補正の内容】
【００２２】
また、本発明による端末装置は、
任意のアドレス情報を入力することができる操作手段を更に備え、
前記操作手段から入力されたアドレス情報が、前記情報取得手段が取得したアドレス情報と相違した場合、前記画像データ取得手段が取得した画像データの送信処理を行なわないようにし、
前記操作手段から入力されたアドレス情報が、前記情報取得手段が取得したアドレス情報と一致する場合、前記画像データ取得手段が取得した画像データの送信処理を行なうようになっていてもよい。
【手続補正１２】
【補正対象書類名】明細書
【補正対象項目名】００２３
【補正方法】削除
【補正の内容】